(57)【要約】【課題】被検眼の作動距離調整が容易に実行でき、撮影時間の短縮を図る。【解決手段】レベル変換手段は入力信号レベルが所定以上の輝度を持つ領域に対し濃度勾配を持って強調する変換特性を有し、撮像手段から入力された映像信号を変換した後に、画像表示用モニタに表示する。これにより、（ａ）に示すような無変換時に比べて、レベル変換を行うと（ｂ）に示すように高輝度表示部がより細かく識別可能となり、作動距離の目視による調整範囲が広くなる。【選択図】        図５
2004147826.tif 000002
【特許請求の範囲】
【請求項１】
アライメント光束を被検眼に向けて投影する投影光学系と、被検眼で反射される光束を受光する受光光学系とを有し、眼底の観察、撮影を行う眼科撮影装置において、前記受光光学系で受光されたアライメント反射像の出力レベルを変換するレベル変換手段と、該レベル変換手段の変換結果を出力する出力手段とを設けたことを特徴とする眼科撮影装置。
【発明の詳細な説明】
【０００１】
【発明の属する技術分野】
本発明は、集団検診や眼科医院に用いられる眼科撮影装置に関するものである。
【０００２】
【従来の技術】
従来から例えば眼底カメラ装置では、被検眼の眼底像の観察を行いながら、眼底像の合焦状態と装置本体に対する被検眼の位置合わせが適切であるかを目視により判断しながら、最適撮影位置とタイミングを見計らって、撮影スイッチを操作して撮影を行っている。
【０００３】
【発明が解決しようとする課題】
しかし、実際に上述の方法で撮影した場合に、被検者の固視が不安定であったり、撮影者の熟練度などの要因で、なかなか最適なアライメント状態が得られず、操作に要する時間が長くかかり、不用意なタイミングでの失敗撮影の頻度も増加して、再撮影を余儀なくされるなど、被検者や撮影者に多大な負担を強いることがある。
【０００４】
これは、上述のようなアライメント作業中の観察画像は、概ね眼底像のピント状態が比較的安定して得られるが、被検者の固視微動による眼底像や作動距離（ワーキングディスタンス）の調整時は輝点像の変動が速いため、画面の所定位置にアライメントする作業が困難となっていることが主な原因である。
【０００５】
本発明の目的は、上述の問題点を解消し、アライメントを容易にして、撮影までの時間を短縮可能にした眼底撮影装置を提供することにある。
【０００６】
【課題を解決するための手段】
上記目的を達成するための本発明に係る眼科撮影装置は、受光光学系で受光されたアライメント反射像の出力レベルを変換するレベル変換手段と、レベル変換手段の変換結果を出力する出力手段とを設ける。
【０００７】
【発明の実施の形態】
本発明を図示の実施の形態に基づいて詳細に説明する。
図１は眼底カメラに適用した実施の形態の構成図を示す。被検眼Ｅに対向して対物レンズ１が配置され、対物レンズ１の後方には、補助レンズ系２、孔あきミラー３、孔あきミラー３の孔部に配置された撮影絞り４、光軸上を移動可能なフォーカスレンズ５、撮影レンズ６、撮像手段７が順次に配列され、被検眼像を観察する光学系が構成されている。
【０００８】
また、補助レンズ系２により前眼部観察光学系が構成され、補助レンズ系２は駆動手段８により光路内に挿入離脱可能に配置されている。アライメント指標投影光学系として、アライメント光源である近赤外ＬＥＤ光源９からの光束が、１対の光ファイバ１０ａ、１０ｂにより孔あきミラー３の孔部に導光されるようになっている。
【０００９】
また対物レンズ１の近傍には、赤外光を発する赤外ＬＥＤ等から成る前眼部照明光源１１が配置され、前眼部照明手段が構成されている。孔あきミラー３の入射方向には、孔あきミラー３に向けて赤外光の定常光を発する観察光源１２、コンデンサレンズ１３、閃光を発するストロボ管から成る撮影光源１４、リング状の開口を有する絞り１５、挿入離脱自在に配置され赤外光を遮断する赤外カットフィルタ１６、リレーレンズ１７が配列され、眼底照明手段が構成されている。
【００１０】
これらの光学部材は筐体１８に内蔵されて、水平可動台１９上に載置され、上下左右前後方向に移動可能とされている。
【００１１】
撮像手段７の出力は、映像信号のレベルを変換するレベル変換手段２１を介して画像表示用モニタ２２が接続されている。また、レベル変換手段２１の出力は操作表示制御手段２３に接続され、更に操作表示制御手段２３には、前眼／眼底切換えスイッチ２４、駆動手段８、水平可動台１９上の操作レバー２５、この操作レバー２５上に設けられ撮影光源１４を発光させる撮影スイッチ２６が接続されている。
【００１２】
この眼底カメラを用いて被検眼Ｅの眼底Ｅｒを撮影する場合には、撮影者は被検者を正面に着座させ、先ず前眼部を赤外光で観察しながら、被検眼Ｅと眼底カメラとの概略の位置合わせを行う。即ち、電源オンの直後に駆動手段８が駆動されて補助レンズ系２が光路内に挿入され、更に前眼部照明用の照明光源１１が点灯され、赤外カットフィルタ１６は光路外に離脱されて前眼部観察状態に設定される。
【００１３】
この前眼観察状態において、撮影者は操作レバー２５を使った被検眼Ｅの概略のアライメント調整を終了すると、切換えスイッチ２４を操作する。切換スイッチ２４への入力を検知した操作表示制御手段２３は、補助レンズ系２を光路から離脱し、眼底観察状態に遷移する。
【００１４】
眼底観察状態では、前眼部照明光源１１は消灯し、眼底照明用の赤外観察光源１２を点灯する。観察光源１２を発した赤外光はコンデンサレンズ１３により集光され、撮影光源１４、絞り１５の開口を通過し、レンズ１７を通り、孔あきミラー３の周辺のミラー部により左方向に反射され、対物レンズ１、被検眼Ｅの瞳孔Ｅｐを介して眼底Ｅｒを照明する。赤外光で照明された眼底Ｅｒの像は、再び対物レンズ１、撮影絞り４、フォーカスレンズ５、撮影レンズ６を通って撮像手段７に結像し電気信号に変換される。この信号は、レベル変換手段２１に入力され画像表示用モニタ２２に表示される。撮影者はこのモニタ２２に映った映像を見ながら、図示しない操作手段を用いてフォーカスレンズ５を移動し、ピント合わせ及び撮影範囲の確認を行う。
【００１５】
光ファイバ１０ａ、１０ｂを介したＬＥＤ光源９からの近赤外光であるアライメント用光束が、孔あきミラー３の孔部から出射されて角膜表面で反射され、作動距離が適正であるときには、対物レンズ１により眼底Ｅｒと共役位置に結像し、眼底像を形成する反射光束と同様に撮像手段７にＷＤ像として受像される。撮影者はこのＷＤ像を画像表示用モニタ２２で観察しながら、操作レバー２５を動かして作動距離の微調整を行う。
【００１６】
レベル変換手段２１は図２に示す変換特性を有し、撮像手段７から入力された映像信号を変換した後にモニタ２２に表示する。図２のＡは入力信号と出力信号が等しい１：１変換状態を示し、前眼部観察時に適用される。また、図２のＢの直線（折れ線）変換を行ったときは、入力信号レベルがＸ０以上の輝度を持つ領域Ｘに対し濃度勾配を持って強調表示される。
【００１７】
図３はレベル変換前の入力映像を示し、図４はレベル変換後の観察映像を示している。アライメント調整の最適時には、眼底像と共にＷＤ像Ｆａ、Ｆｂとしての輝点がモニタ２２の画面に表示されるが、作動距離が適正位置からずれているときには輝点がぼける。しかし、図５（ａ）に示すような無変換時に比べて、レベル変換を行うと図５（ｂ）に示すように、ＷＤ像Ｆａ、Ｆｂの高輝度表示部がより細かく識別可能となり、作動距離の目視による調整範囲が広くとれる。
【００１８】
また、図３、図４における眼底像内の乳頭部Ｃや固視灯提示位置を表示するマーカ像Ｄも、ＷＤ像Ｆａ、Ｆｂと同様に視認性良く強調表示できるので、撮影部位や固視位置の確認が容易になる。
【００１９】
レベル変換手段２１はアナログ回路やデジタル回路で構成してもよく、入力映像信号を任意に輝度強調できるようになっている。また、前眼部観察と眼底観察及びアライメント調整時の観察モードに応じてそれぞれ変換レベルを設定したり、被検者の観察映像に応じて変換レベルを設定してもよい。
【００２０】
図６はこのレベル変換を行う場合の一連の操作フローチャート図を示している。
【００２１】
本発明の実施の形態をまとめて次に列挙する。
【００２２】
［実施の形態１］  アライメント光束を被検眼に向けて投影する投影光学系と、被検眼で反射される光束を受光する受光光学系とを有し、眼底の観察、撮影を行う眼科撮影装置において、前記受光光学系で受光されたアライメント反射像の出力レベルを変換するレベル変換手段と、該レベル変換手段の変換結果を出力する出力手段とを設けたことを特徴とする眼科撮影装置。
【００２３】
［実施の形態２］  前記レベル変換手段の変換レベルは、被検眼に対する観察モードに応じて設定可能であることを特徴とする実施の形態１に記載の眼科撮影装置。
【００２４】
［実施の形態３］  前記レベル変換手段の変換レベルは、個々の被検眼に対応して設定可能であることを特徴とする実施の形態１に記載の眼科撮影装置。
【００２５】
【発明の効果】
以上説明したように本発明に係る眼科撮影装置は、格別な手段を用いることなく、アライメント操作に必要な映像のみを強調して表示できるので、視認性が向上し、アライメント操作が容易になると共に操作時間を短縮ができる。
【図面の簡単な説明】
【図１】実施の形態の眼底カメラの構成図である。
【図２】映像変換のグラフ図である。
【図３】モニタ上の変換前の眼底像の説明図である。
【図４】モニタ上の変換後の眼底像の説明図である。
【図５】変換前後のＷＤ像の説明図である。
【図６】操作フローチャート図である。
【符号の説明】
１  対物レンズ
２  補助レンズ系
３  孔あきミラー
７  撮像手段
９  ＬＥＤ光源
１１  前眼部照明光源
１２  観察光源
１４  撮影光源
２１  レベル変換手段
２２  画像表示用モニタ
２３  操作表示制御手段
２４  切換えスイッチ
２５  操作レバー
２６  撮影スイッチ
【図１】
2004147826.tif 000003
【図２】
2004147826.tif 000004
【図３】
2004147826.tif 000005
【図４】
2004147826.tif 000006
【図５】
2004147826.tif 000007
【図６】
2004147826.tif 000008